(57)【要約】【課題】外力によるレンズバリア羽根のレンズ面側への移動を阻止する。  【解決手段】撮像装置は、撮影レンズにおける光入射開口１３ａを塞ぐ閉位置と該光入射開口を開放する開位置との間で移動可能なバリア羽根５，６と、該バリア羽根を駆動する駆動部材２とを有する。該駆動部材には、バリア部材のレンズ面側への移動を阻止する支持部２ｄを設ける。該支持部は、バリア羽根が開位置にある状態では光入射開口の外側に位置し、バリア羽根が閉位置にある状態では光入射開口の内側に位置する。【選択図】図５
2007219288.tif 000002
【特許請求の範囲】
【請求項１】
撮影レンズにおける光入射開口を塞ぐ閉位置と該光入射開口を開放する開位置との間で移動可能なバリア羽根と、
該バリア羽根を駆動する駆動部材とを有し、
該駆動部材は、前記バリア羽根のレンズ面側への移動を制限する支持部を有し、
該支持部は、前記バリア羽根が前記開位置にある状態では前記光入射開口の外側に位置し、前記バリア羽根が前記閉位置にある状態では前記光入射開口の内側に位置することを特徴とする撮像装置。
【請求項２】
前記支持部は、前記バリア羽根の開閉をガイドする機能を併せ持つことを特徴とする請求項１に記載の撮像装置。
【請求項３】
前記バリア羽根は前記閉位置と前記開位置との間で回動し、
前記支持部は、前記閉位置にある前記バリア羽根における回動中心側とは反対側の部分であって該バリア羽根の像側の面に当接することを特徴とする請求項１又は２に記載の撮像装置。
【請求項４】
前記駆動部材は、前記撮影レンズの光軸回りで回動して前記バリア羽根を開閉駆動することを特徴とする請求項１から３のいずれか１つに記載の撮像装置。
【請求項５】
前記光入射開口のうち光軸位置を含む第１領域を塞ぐ第１のバリア羽根と、前記第１の領域よりも外側の第２の領域を塞ぐ第２のバリア羽根とを有し、
前記支持部は、前記第１のバリア羽根における像側の面に当接することを特徴とする請求項１から４のいずれか１つに記載の撮像装置。
【発明の詳細な説明】
【技術分野】
【０００１】
本発明は、撮影レンズを保護するためのレンズバリアを備えた撮像装置に関する。
【背景技術】
【０００２】
コンパクトデジタルスチルカメラ等の撮像装置の撮影レンズ前端部には、レンズ面に埃や汚れが付着したりレンズ面が傷付いたりすることを防止するため、開閉可能なレンズバリアが設けられていることが多い。
【０００３】
図１１および図１２には、従来のレンズバリアを示している。図１１は、レンズバリアが閉じた状態を示し、図１２はレンズバリアが開いた状態を示す。
【０００４】
これらの図において、２０１はレンズ鏡筒、２０８ａはレンズ鏡筒の光入射開口を示す。２０２，２０３はバリア羽根であり、一端に設けられた軸部を中心に、光入射開口２０８ａを塞ぐ閉位置と該光入射開口２０８ａを開放する開位置との間で回動する。
【０００５】
レンズ鏡筒２０１に対しては、カメラの小型化に伴い小径化が求められている。但し、図１１に示すように、２枚のバリア羽根２０２，２０３によって光入射開口２０８ａを完全に塞ぐ構成では、開位置にあるバリア羽根２０３，２０３の一部（斜線部）２０２ａ，２０３ａがレンズ鏡筒２０１の外径よりも突出するおそれがある。このことは、レンズ鏡筒の小径化を妨げる。
【０００６】
そこで、特許文献１には、重畳および展開可能な２枚一組の小さなサイズのバリア羽根を二組用い、展開状態で広い面積の光入射開口を塞ぎ、重畳状態でコンパクトに光入射開口外に収納できるレンズバリアが開示されている。
【特許文献１】実開平３−１８５１９号公報(図１等)
【発明の開示】
【発明が解決しようとする課題】
【０００７】
しかしながら、各バリア羽根のサイズが小さくなると、強度が小さくなり、わずかな外力が作用するだけでもレンズ面側に移動（変位や変形）し、レンズ面に傷が付いたりレンズバリアが動作不能となったりするおそれがある。一方、バリア羽根の強度を上げるために、バリア羽根の厚みを大きくすると、レンズ鏡筒の全長が増加してしまう。
【０００８】
本発明は、バリア羽根自体の強度（厚み）を増加させることなく、外力によるバリア羽根のレンズ面側への移動を阻止できるようにした撮像装置を提供することを目的の１つとしている。
【課題を解決するための手段】
【０００９】
本発明の一側面としての撮像装置は、撮影レンズにおける光入射開口を塞ぐ閉位置と該光入射開口を開放する開位置との間で移動可能なバリア羽根と、該バリア羽根を駆動する駆動部材とを有する。該駆動部材には、バリア部材のレンズ面側への移動を制限する支持部を設ける。そして、該支持部は、バリア羽根が開位置にある状態では光入射開口の外側に位置し、バリア羽根が閉位置にある状態では光入射開口の内側に位置することを特徴とする。
【発明の効果】
【００１０】
本発明によれば、閉じた状態のバリア羽根が像側への移動しようとすると、光入射開口の内側に位置する支持部によって支えられ、その移動が制限される。このため、光入射開口を通じてバリア羽根に作用した外力を確実に支持部で受け止めることができる。したがって、バリア羽根自体の強度を高くしなくても、バリア羽根の外力に対する強度を増すことができ、従来に比べて大きな外力が作用した場合でもバリア羽根の像側（レンズ面側）への移動を制限することができる。
【発明を実施するための最良の形態】
【００１１】
以下、本発明の実施例について図面を参照しながら説明する。
【００１２】
まず、図１０には、本発明の実施例１であるレンズ鏡筒（撮影レンズ）を備えた撮像装置としてのコンパクトデジタルスチルカメラの外観を示している。
【００１３】
図１２において、１００はカメラであり、１０１はカメラボディである。１０２は該カメラのメインスイッチであり、電源の投入および遮断を切り替えるスイッチである。１０３は撮影スイッチであり、半押し操作によって測光、測距（ＡＦ）等の撮影準備動作を行わせ、全押し操作によって画像の撮影および記録を行わせるスイッチである。
【００１４】
１０４はフラッシュ発光部、１０５はファインダの対物窓、１０６は測光用の受光窓である。１１０は３段沈胴式レンズ鏡筒である。１０７はズームレバーであり、これを回転操作することで、レンズ鏡筒１１０のズーム駆動を行わせることができる。なお、図示はしないが、カメラボディ１０１内には、レンズ鏡筒１１０内の撮影光学系により形成された被写体像を光電変換するＣＣＤセンサ、ＣＭＯＳセンサ等の撮像素子が搭載されている。
【００１５】
図１、図２および図４〜図６には、レンズ鏡筒１１０の前端部（物体側の端部）に設けられたレンズバリア機構の構成を示している。
【００１６】
なお、本実施例のレンズ鏡筒において、後述するバリア開口１３ａを通り、さらに内部のレンズや絞りを通って撮像素子に到達する光束を「有効光束」という。また、バリア開口１３ａは本発明にいう光入射開口の開口面に相当し、該開口面から最も物体側のレンズ面までの有効光束が通る空間領域が、本発明にいう光入射開口に相当する。また、物体側に対して、撮像素子が配置されている側を像側という。
【００１７】
図２において、１６は有効光束であり、図２中のラインＡでの断面を図３（ａ）に示す。また、ラインＢでの断面を図３（ｂ）に示す。撮像素子が長方形であるため、そこに到達する有効光束も概ね長方形の断面形状を有する。図３（ａ），（ｂ）から明らかなように、レンズ面からの距離によって有効光束の断面サイズ（面積）も変化する。
【００１８】
図１、図２および図４〜図６において、１はレンズ鏡筒のうちレンズバリア機構が搭載される鏡筒枠である。鏡筒枠１の内側には、カム筒１４が配置されており、不図示のモータを有する鏡筒駆動機構によってカム筒１４が回転すると、該カム筒１４に形成された不図示のカムによって鏡筒枠１は光軸方向に移動する。
【００１９】
鏡筒枠１の中央には、レンズ保持部１ａが形成されており、該レンズ保持部１ａは、最も物体側のレンズ１５を保持している。
【００２０】
また、鏡筒枠１におけるレンズ保持部１ａの外周には、リング保持部１ｂが形成されている。該リング保持部１ｂは、後述するバリア駆動リング２を回転可能に保持している。さらに、鏡筒枠１におけるリング保持部１ｂよりも外側には、バリア駆動リング２のフォロワアーム２ｃが貫通する円弧孔１ｋが形成されている。
【００２１】
また、鏡筒枠１（リング保持部１ｂの外周部）には、一対の第１バリア羽根５，６および第２バリア羽根９，１０を保持するための穴部１ｃ，１ｄ，１ｅ，１ｆと、オープンスプリング３，４の一端を掛けるためのフック１ｈ，１ｉとが設けられている。第１バリア羽根５，６は、光入射開口のうち光軸を含む大領域を塞いだり開放したりする。また、第２バリア羽根９，１０は、光入射開口のうち大領域の外側の小領域を塞いだり開放したりする。
【００２２】
２は中央に開口部２ａが形成されたバリア駆動リングである。該バリア駆動リング２は、レンズの光軸回りで往復回転することによって、第１バリア羽根５，６を開閉駆動する。バリア駆動リング２は、その像側の外周に形成された保持部２ｂにおいて、鏡筒枠１のリング保持部１ｂに回転可能に保持される。
【００２３】
バリア駆動リング２には、像側に延出するフォロワアーム２ｃが形成されており、該フォロワアーム２ｃは、鏡筒枠１の円弧孔１ｋを貫通してカム筒１４まで延びている。図２の状態では、カム筒１４に形成されたフォロワ溝１４ａに、フォロワアーム２ｃが当接している。この状態からカム筒１４が回転することによって、バリア駆動リング２は往復回転する。
【００２４】
オープンスプリング３，４の他端はそれぞれ、バリア駆動リング２の外周部に形成されたフック２ｇ，２ｈに掛けられている。これにより、バリア駆動リング２は、図４における時計回り方向（開方向）に常に付勢される。
【００２５】
バリア駆動リング２の最外周部には、羽根駆動部２ｅ，２ｆが設けられており、これら羽根駆動部２ｅ，２ｆは、第１バリア羽根５，６に設けられた突起部５ｂ，６ｂに周方向にて当接可能である。バリア駆動リング２の回転により、該羽根駆動部２ｅ，２ｆが突起部５ｂ，６ｂを押すことで、第１バリア羽根５，６を開閉駆動することができる。
【００２６】
バリア駆動リング２における開口部２ａの周囲には、開閉動作する第１バリア羽根５，６および第２バリア羽根９，１０をこれらの像側（図２では下側）において摺動ガイドするバリアレール部（支持部）２ｄが設けられている。このバリアレール部２ｄは、第１バリア羽根５，６および第２バリア羽根９，１０の像側への移動を制限する役割も有する。ここで、像側への移動を制限するとは、所定量（例えば、バリア羽根の回動を可能とするためにバリアレール部２ｄとの間に設けられた隙間分）の像側への移動は許容するが該所定量を超える移動を阻止することを意味する。
【００２７】
第１バリア羽根５は、像側に延びた軸５ａを有し、これが鏡筒枠１に形成された穴１ｃに挿入されることで、軸５ａを中心とした回動が可能となる。また、像側に延びた突起部５ｂには、後述するクローズスプリング７の一端が掛けられている。クローズスプリング７の他端は、鏡筒枠１に設けられた突起部２ｉに掛けられている。このため、該クローズスプリング７は、第１バリア羽根５を軸５ａ回りにおいて時計回り方向（閉じ方向）に常に付勢する。
【００２８】
第１バリア羽根５の像側の面に設けられた突起部５ｂは、バリア駆動リング２に設けられた羽根駆動部２ｅに当接可能である。図４に示す閉状態から、バリア駆動リング２の時計回り方向の回転によって羽根駆動部２ｅが突起部５ｂを押すことにより、第１バリア羽根５は軸５ａを中心に反時計回り方向（開方向）に駆動され、図５に示す開位置まで回動する。また、図５の状態からバリア駆動リング２が反時計回り方向に回転すると、クローズスプリング７の付勢力によって突起部５ｂが羽根駆動部２ｅに追従して移動し、第１バリア羽根５は軸５ａを中心にして時計回り方向に回転し、図４の閉位置まで回動する。
【００２９】
第１バリア羽根６は第１バリア羽根５と同一形状を有する。第１バリア羽根６は、像側に延びた軸６ａが鏡筒枠１に形成された穴１ｄに挿入されることで、この軸６ａを中心に回動可能である。また、像側に突出した突起部６ｂには、後述するクローズスプリング８の一端が掛けられておる。クローズスプリング８の他端は、鏡筒枠１に設けられた突起部２ｊに掛けられている。このため、該クローズスプリング８は、第１バリア羽根６を軸６ａ回りにおいて時計回り方向（閉じ方向）に常に付勢する。
【００３０】
第１バリア羽根６の像側の面に設けられた突起部６ｂは、バリア駆動リング２に設けられた羽根駆動部２ｆに当接可能である。図４に示す閉状態から、バリア駆動リング２の時計回り方向の回転によって羽根駆動部２ｆが突起部６ｂを押すことにより、第１バリア羽根６は軸６ａを中心に反時計回り方向（開方向）に駆動され、図５に示す開位置まで回動する。また、図５の状態からバリア駆動リング２が反時計回り方向に回転すると、クローズスプリング８の付勢力によって突起部６ｂが羽根駆動部２ｆに追従して移動し、第１バリア羽根６は軸６ａを中心にして時計回り方向に回転し、図４の閉位置まで回動する。
【００３１】
これら２つの第１バリア羽根５，６が図４の位置まで回動すると、これらが互いに当接し、バリア羽根５，６の移動は停止する。
【００３２】
なお、この閉状態から、さらにバリア駆動リング２が反時計回り方向に回転したとしても、クローズスプリング７，８がチャージされることで、第１バリア羽根５，６を図４により示す位置を維持できる。
【００３３】
第２バリア羽根９，１０は、図４に示されるように、第１バリア羽根５，６よりも外周側の領域に配置され、ここで開閉回動する。
【００３４】
第２バリア羽根９は、像側に突出した軸９ａを有し、該軸９ａが鏡筒枠１に形成された穴１ｅに挿入されることでこの軸９ａを中心に回動可能である。また、像側に突出した突起部９ｂには、トーションスプリング１１の一端が掛けられている。トーションスプリング１１の他端は、バリア駆動リング２に設けられた突起部２ｉに掛けられており、これにより、第２バリア羽根９は軸９ａを中心して反時計回り方向（閉方向）に常に付勢される。これにより、第２バリア羽根９の内周面９ｃは、第１バリア羽根５の外周面５ｃに常に当接し、第１バリア羽根５の回動に連動して回動する。
【００３５】
同様に、第２バリア羽根１０は、像側に突出した軸１０ａを有し、該軸１０ａが鏡筒枠１に形成された穴１ｆに挿入されることでこの軸１０ａを中心に回動可能である。また、像側に突出した突起部１０ｂには、トーションスプリング１２の一端が掛けられている。トーションスプリング１２の他端は、バリア駆動リング２に設けられた突起部２ｊに掛けられており、これにより、第２バリア羽根１０は軸１０ａを中心して反時計回り方向（閉方向）に常に付勢される。これにより、第２バリア羽根１０の内周面１０ｃは、第１バリア羽根６の外周面６ｃに常に当接し、第１バリア羽根６の回動に連動して回動する。
【００３６】
なお、図４の閉位置から図５の開位置への駆動途中の状態を、図６に示す。以上の２枚の第１バリア羽根５，６と２枚の第２バリア羽根９，１０からなる４枚のバリア羽根によって、後述するバリア開口１３ａを塞ぐ閉状態と、該バリア開口１３ａよりも外側に退避する開状態とが作り出される。
【００３７】
１３はバリアカバーであり、その中央には概ね長方形のバリア開口１３ａが形成されている。バリアカバー１３は、レンズ鏡筒の最前端に配置され、第１バリア羽根５，６および第２バリア羽根９，１０の摺動ガイドの役割と、物体側（図２で上側）への移動を制限する役割とを有する。
【００３８】
次に、以上のように構成されたレンズバリアとカメラの動作との関係について説明する。図４に示すようにレンズバリアが閉じた状態は、図１０に示したカメラボディ１０１内にレンズ鏡筒１１０が沈胴（収納）している。この状態でメインスイッチ１０２をＯＮすると、不図示の鏡筒駆動機構によってレンズ鏡筒１１０が突出動作する。レンズバリアを保持した鏡筒枠１は、カム筒１４の回転によってレンズ鏡筒１１０のうち最も物体側に繰り出される。
【００３９】
このとき、カム筒１４は、図２中の右方向に相当する方向（図４から図６中の時計回り方向、以下、図２においても時計回り方向という）に回転しながら鏡筒枠１から像側に離れていく。オープンスプリング３，４によって時計回り方向に付勢されたバリア駆動リング２は、フォロワアーム２ｃがカム筒１４のフォロワ溝１４ａの回転に追従し、さらにフォロワ溝１４ａから離れることで、時計回り方向に回動する。バリア駆動リング２の時計回り方向の回転によって、前述したように、羽根駆動部２ｅ，２ｆが突起部５ｂ，６ｂを押すことにより、第１バリア羽根５，６は開方向に駆動され、図５に示す開位置まで回動する。また、第１バリア羽根５，６の開動作に伴って第２バリア羽根９，１０も図５の開位置まで回動する。
【００４０】
この開状態では、第１バリア羽根５，６および第２バリア羽根９，１０は、光軸方向視において、バリア開口部１３ａから退避する位置、すなわち光入射開口外に回動する。図５の状態でも、バリア駆動リング２はオープンスプリング３，４によって時計回り方向（開き方向）に付勢された状態になっているので、この開状態が保持される。
【００４１】
一方、図５の開状態からレンズバリアを閉じる場合には、カメラのメインスイッチ１０２をオフにする。これにより、不図示の鏡筒駆動機構によってレンズ鏡筒１１０がカメラボディ１０１内に沈胴していく。このとき、鏡筒枠１は、図２中の左方向に相当する方向（図４から図６中の反時計回り方向、以下、図２においても反時計回り方向という）に回転するカム筒１４に対して接近していく。この接近途中で、バリア駆動リング２のフォロワアーム２ｃがカム筒１４のフォロワ溝１４ａの斜面に当接する。さらに、カム筒１４が反時計回り方向に回転すると、フォロワ溝１４ａはバリア駆動リング２をオープンスプリング３，４の付勢力に抗して反時計回り方向に回転させる。
【００４２】
バリア駆動リング２が反時計回り方向に回転すると、前述したように、クローズスプリング７，８の付勢力によって突起部５ｂ，６ｂが羽根駆動部２ｅ，２ｆに追従して移動する。これにより、第１バリア羽根５，６および第２バリア羽根９，１０は図４の閉位置まで回動する。
【００４３】
各バリア羽根が図４の状態に達した後も、カム筒１４の回転によってバリア駆動リング２は反時計回り方向に回転する。この間、クローズスプリング７，８がチャージされて各バリア羽根は閉方向に回動しない。こうして、沈胴状態でのバリア閉じ状態が維持される。
【００４４】
次に、バリア開状態と閉状態における、バリア駆動リング２に設けられたバリアレール部２ｄの位置について、図７〜図９を用いて説明する。
【００４５】
図７は、本実施例のバリア開状態でのバリアレール部２ｄを示す。なお、図７は、図２におけるラインＡでの断面を示している。また、図８および図９は、本実施例との比較のために用いる図である。
【００４６】
本実施例では、バリアレール部２ｄは、図５に示す開状態において光入射開口外に退避するが、図４の閉状態では、図７に示すように、その一部２ｍが光入射開口の内側に入り込む。
【００４７】
ここで、バリア開状態、すなわちカメラの撮影時にバリアレール部が光入射開口内に入り込んでいると、該バリアレール部によって有効光束が遮られるので、好ましくない。そこで、バリア駆動リングの最内径部であるバリアレール部がバリア開状態において光入射開口内に入り込まないようにバリアレール部の形状を設定する必要がある。
【００４８】
バリア駆動リングは光軸位置を中心として回動するため、どの回転位置でもバリアレール部が光入射開口内に入り込まないように設計すると、図８に示すように、少なくとも光入射開口の対角長Ｌ（図７に示す）を開口部２２ａの内径とするバリア駆動リングとなる。図８中の点線は、本実施例のバリア駆動リング２の開口部２ａを示す。
【００４９】
すなわち、バリア駆動リングに設けられたバリアレール部もこの開口部よりも外側に設けることになる。図８のバリア駆動リングに、前述した第１バリア羽根５，６および第２バリア羽根９，１０を配置すると、バリア閉状態では図９に示す構成となる。
【００５０】
図９では、第１バリア羽根５，６の回動軸５ａ，６ａから最も離れた先端部分（回動軸側とは反対側の部分）５ｄ，６ｄは、バリア駆動リングのバリアレール部２２ｄから離れている。つまり、第１バリア羽根５，６のうち回動中心として保持されている部分から最も離れた先端部において、像側への移動を制限する支持部が存在しない。
【００５１】
この場合に、第１バリア羽根５，６に物体側から外力が加わると、該第１バリア羽根５，６は変形等して、像側であるレンズ面側に移動し、レンズ面を傷付けたり、レンズバリアが動作不能となったりするおそれがある。
【００５２】
しかし、本実施例では、図７に示すように、撮影を行わないバリア閉状態では、バリアレール部２ｄ（２ｍ）が光入射開口の内側に入り込む形状にしている。このため、バリア開口部１３ａを通じて第１バリア羽根５，６に外力が加わっても、該外力はバリアレール部２ｄ（２ｍ）によって受け止められる。したがって、第１バリア羽根５，６の変形等による移動が制限される。
【００５３】
図８に示す形状のバリア駆動リングにおいて、閉状態の第１バリア羽根５，６の像側への移動を阻止するためには、該バリア羽根の先端部の形状を大きく（長く）して、バリアレール部２２ｄから離れないようにする必要がある。バリア羽根が大きくなれば、当然に、バリア開口部から退避したときの収納スペースをレンズ鏡筒内に確保する必要が生じる。しかも、第１バリア羽根５，６の先端が長くなると、これに連動する第２バリア羽根９，１０の内周部も、本実施例の場合に比べてより外周側に存在しなくてはならない。つまり、第２バリア羽根自体がより外周側に配置される必要がある。これらによって、レンズ鏡筒の外径を大きくせざるを得ず、レンズ鏡筒の小径化を妨げる。
【００５４】
また、バリア羽根の像側への移動を阻止するために、バリア羽根のすぐ像側の位置に、有効光束をけらない大きさの開口部とバリアレール部を有する、バリア駆動リングとは別の固定地板を挿入することも考えられる。しかし、これでは、部品点数が多くなり、レンズ鏡筒の小型化に寄与しない。また、コストアップにもつながる。
【００５５】
以上のことから、本実施例では、バリア駆動リング２に設けられたバリアレール部２ｄを、バリア開状態では光入射開口から退避し、バリア閉状態では光入射開口内に入り込む形状とした。これにより、部品点数の増加を避け、レンズ鏡筒の外径を小さくしながら、外力に対して強いレンズバリアを実現することができる。
【００５６】
また、本実施例のレンズバリアは、以下のような特徴も有する。本実施例では、図１１に示す従来のバリア羽根２０２，２０３のうち開状態でレンズ鏡筒２０１の外周から飛び出てしまっていた部分２０２ａを、第２バリア羽根９，１０として独立して形成した。これにより、レンズ鏡筒の外径を小さくすることに貢献している。
【００５７】
さらに、本実施例では、４枚の第１バリア羽根５，６および第２バリア羽根９，１０を、特許文献１にて開示されているように、光軸方向に重ねて畳む構成ではなく、鏡筒径方向（バリア開閉面の面内方向）に並べた構成としている。これにより、レンズバリア機構全体の厚み（光軸方向長さ）を短くすることができる。
【００５８】
さらに、本実施例では、バリア閉状態において、第１バリア羽根９，１０をクローズスプリング７，８のチャージ力によって閉方向に付勢している。これにより、バリア閉状態（カメラのメインスイッチオフ状態）において、カメラのユーザ等が故意にバリア羽根を開ける操作をしても、該クローズスプリング７，８のチャージ力によってバリア羽根を再び閉じることができる。第１バリア羽根をカム等の部品で駆動する構成では、バリア羽根が故意に動かされると、該部品が破損するおそれがある。しかし、本実施例では、クローズスプリング７，８がチャージされるだけであるので、破損の心配がない。
【００５９】
以上、本発明の実施例について説明したが、本発明は上記実施例の構成に限定されるわけではなく、請求項で示される内容に含まれれば、どのような構成や形状であってもよい。
【００６０】
また、上記実施例では、コンパクトデジタルスチルカメラについて説明したが、本発明は、一眼レフカメラやビデオカメラなど、種々の撮像装置に適用することができる。
【図面の簡単な説明】
【００６１】
【図１】本発明の実施例であるレンズバリアの分解斜視図。
【図２】実施例のレンズバリアの断面図。
【図３】（ａ）は図２に示すラインＡでの有効光束の断面図、（ｂ）は図２に示すラインＢでの有効光束の断面図。
【図４】実施例のレンズバリアの閉状態を示す正面図。
【図５】実施例のレンズバリアの閉状態を示す正面図。
【図６】実施例のレンズバリアの開閉途中の状態を示す正面図。
【図７】図２に示すラインＡでの有効光束（光入射開口）とバリア駆動リングとの関係を示す断面図。
【図８】比較例としてのバリア駆動リングの形状を示す正面図。
【図９】図８のバリア駆動リングを用いたレンズバリア（閉状態）の正面図。
【図１０】実施例のレンズバリアが搭載されたカメラの外観図。
【図１１】従来のレンズバリアの閉状態を示す正面図。
【図１２】従来のレンズバリアの開状態を示す正面図。
【符号の説明】
【００６２】
１  鏡筒枠
２  バリア駆動リング
２ｄ  バリアレール部
２ｍ  バリアレール部の一部
３，４  オープンスプリング
５，６  第１バリア羽根
７，８  クローズスプリング
９，１０  第２バリア羽根
１１，１２  トーションスプリング
１３  バリアカバー
１３ａ  バリア開口部
１４  カム筒
１５  レンズ
１６  有効光束
【図１】
2007219288.tif 000003
【図２】
2007219288.tif 000004
【図３】
2007219288.tif 000005
【図４】
2007219288.tif 000006
【図５】
2007219288.tif 000007
【図６】
2007219288.tif 000008
【図７】
2007219288.tif 000009
【図８】
2007219288.tif 000010
【図９】
2007219288.tif 000011
【図１０】
2007219288.tif 000012
【図１１】
2007219288.tif 000013
【図１２】
2007219288.tif 000014